(57)【要約】【課題】複雑さとコストが減少し、かつ受信状態と送信状態の切り換えが迅速である、ラジオトランシーバとラジオトランシーバを具体化する集積回路と、効率が向上したラジオシステムとを提供すること。【解決手段】半２重ラジオトランシーバは、送信機（１００）と低ＩＦ受信機（２００）とを有する。送信周波数と受信周波数との差異は、低ＩＦに等しい。共通の周波数発生器（３００）は、送信機と受信機との間で共有され、再同調が不要である。送信周波数のアップ変換信号は、受信機内におけるダウン変換のために使用される。マスタ／スレーブ・ネットワークのような通信リンクの両端のトランシーバは、その送信周波数と受信周波数を入れ替える。オプションとして、トランシーバを、例えば、マスターまたはスレーブの一方の形態に構成することができる。キャリア・センス・マルチプル・アクセス（ＣＳＭＡ）のためのチャンネル検知は、受信機を再同調することなく、送信周波数で行うことができる。【選択図】図１
2004519942.tif 000002
【特許請求の範囲】
【請求項１】
送信周波数での送信に適合化された送信機と、
第一の周波数での受信に適合化された受信機と、
前記送信周波数で信号を生成するための周波数生成手段と、
を有するラジオトランシーバであって、
前記受信機が、直接変換低ＩＦ受信機を有し、
前記送信周波数と前記第一の受信周波数との差異が、前記低ＩＦに等しく、
受信した信号をダウン変換するために、前記送信周波数の前記信号を使用し、かつ、
前記トランシーバが、前記周波数生成手段の前記公称周波数を変更することなく、受信状態と送信状態を切り換えることができる、ラジオトランシーバ。
【請求項２】
前記送信周波数が、前記第一受信周波数より高い第一モードと、
前記送信周波数が、前記第一受信周波数より低い第二モードと、
前記第一モードと前記第二モードを選択するための手段と、
をさらに有する、請求項１に記載のトランシーバ。
【請求項３】
前記第一モードと前記第二モードを選択するための前記手段が、前記周波数生成手段の前記周波数を切り換えるための手段を有する、請求項２に記載のトランシーバ。
【請求項４】
前記第一モードと前記第二モードを選択するための前記手段が、前記受信機内の信号パスを転換するための手段をさらに有する、請求項３に記載のトランシーバ。
【請求項５】
前記第一モードと前記第二モードを選択するための前記手段が、前記受信機内の直角位相信号のパスを入れ替えるための手段をさらに有する、請求項３に記載のトランシーバ。
【請求項６】
前記受信機が、前記第一受信周波数および第二受信周波数で同時に受信するように適合化されており、前記送信周波数と前記第二受信周波数との前記差異が、前記低ＩＦに等しい、請求項１に記載のトランシーバ。
【請求項７】
前記受信状態時に、前記送信周波数の近くにラジオ信号が存在することを検知するためのチャンネル検知手段をさらに有する、請求項１または請求項６に記載のトランシーバ。
【請求項８】
前記チャンネル検知手段が、フィルタリング手段と、信号レベル検出手段とを有する、請求項７に記載のトランシーバ。
【請求項９】
前記フィルタリング手段が、再設定可能な低ＩＦ受信機用チャンネルフィルタを有する、請求項８に記載のトランシーバ。
【請求項１０】
トランシーバを具体化する、請求項１〜９の何れかに記載の集積回路。
【請求項１１】
トランシーバを有する、請求項１〜９の何れかに記載のラジオシステム。
【発明の詳細な説明】
【０００１】
【発明の属する技術分野】
本発明は、たとえば無許可の周波数帯域における使用に適したラジオトランシーバ、このトランシーバを有するラジオシステム、およびラジオトランシーバを具体化する集積回路に関する。
【０００２】
【従来の技術】
ラジオトランシーバは、通常、２つの分類の何れかに該当する。第一分類の場合、トランシーバの送受周波数と受信周波数の周波数はかなり分離している。従来の用語法を用いると、１つのチャンネルは、一対の周波数、すなわち送信周波数と受信周波数とを有する。このようなトランシーバのための周波数帯域プランは、図６に示されているように、ＲｘとＴｘと明示された別々の周波数帯域が、それぞれ、多くのチャンネル周波数を含んでいる。送信周波数と受信周波数が分離していることにより、トランシーバが、送信信号と受信信号との間の干渉を低減させて、同時に送受信を行うことが可能になる。このようなトランシーバの一例は、ＧＳＭ基地局に見出すことができる。このようなトランシーバは、たとえば、送受信を同時に行う基地局と通信する場合には、送受信を同時に行わない装置にも見出すことができる。この種類の装置の実例は、アナログ式の個人用移動ラジオ （Ｐｒｉｖａｔｅ Ｍｏｂｉｌｅ Ｒａｄｉｏ） システムに見出すことができる。
【０００３】
この第一分類のトランシーバは、２つの基本形態で動作させることができる。第一形態では、図６に図示されるように、送信周波数が受信周波数より高く、かつ第二形態では、送信周波数と受信周波数が入れ替わっている。第一基本形態のトランシーバは、第二基本形式のトランシーバと通信することができ、かつその逆も同様である。これらの２つの基本形態の代表的なものには、例えば、基地局と移動局、または主局と従局を挙げることができる。
【０００４】
第二分類では、トランシーバの送信周波数と受信周波数は、分離しておらず、送受信は同じ公称周波数で行われる。（「公称」という用語は、たとえば、受信機の自動周波数制御によって、わずかな周波数の差が発生するような状況も含めるために使用されている。）この場合、チャンネルは、単一の周波数を有する。このようなトランシーバのための周波数帯域プランは、各周波数が、ＲｘとＴｘと明示されている図７に示されている。このようなトランシーバでは、通信は、半２重で行い、また、時分割２重動作を用いることにより、全２重通信を達成することもできる。このようなトランシーバの一例は、ＤＥＣＴコードレス電話受話器に見出すことができる。
【０００５】
ラジオスペクトルの効率的な使用を達成するためには、送信状態と受信状態を迅速に切り換えることが可能であることが、送受信を同時に行わないラジオトランシーバの望ましい属性である。トランシーバは、切り換えをしている間、送信または受信を行うことができない。さらに、キャリア・センス・マルチプル・アクセス （Ｃａｒｒｉｅｒ Ｓｅｎｓｅ Ｍｕｌｔｉｐｌｅ Ａｃｃｅｓｓ （ＣＳＭＡ） ） を使用する場合は、切換時間が異なるトランシーバ間の干渉の尤度に影響を与えるため、送信の持続時間が短い場合は、切換時間が特に重要となる。切換時間は、より速いデータ送信速度が使用されるにつれて、ますます重要な設計上の考察事項となりつつある。送信状態と受信状態の切り換えは、従来は、シンセサイザの周波数を段階的に実行することによって行われていたが、これは、ロックし、かつ整定させるための時間を要した。迅速なロッキングと整定は、シンセサイザのノイズ特性が劣化する点を犠牲にしなければ、達成できない。
【０００６】
ラジオトランシーバのコストを減らすためには、高水準の回路集積化に順応可能な構成が望ましい。集積化されたラジオ受信機に適した公知の構成として、多相チャンネルフィルタを使用した低ＩＦ構成 （ｌｏｗ ＩＦ ａｒｃｈｉｔｅｃｔｕｒｅ） がある。低ＩＦは、典型的には、信号帯域幅またはチャンネル間隔の２倍までである。集積化されたラジオ送信機の公知の構成には、直接アップ変換 （ｄｉｒｅｃｔ ｕｐｃｏｎｖｅｒｓｉｏｎ） がある。低ＩＦ構成と直接アップ変換は、「ＣＭＯＳ無線トランシーバの設計」（著者Ｊａｎ ＣｒｏｌｓおよびＭｉｃｈｉｅｌ Ｓｔｅｙａｅｒｔ、Ｋｌｕｗｅｒ Ａｃａｄｅｍｉｃ Ｐｕｂｌｉｓｈｅｒｓ刊、２６頁および５５〜６１頁、１９９７年）に説明されている。
【０００７】
さらに、高水準な集積化を達成し、これにより製造コストを低減するためには、送信機と受信機の構成要素の一部（例えば、周波数発生器）を共有することが望ましい。共有の一例が、英国特許出願００２６２０９．７に開示されている。この出願においては、（同じ周波数で送信と受信を行う）上述の第二分類のトランシーバが、２つの周波数生成手段を使用している。第一の周波数生成手段は、周波数生成手段の周波数を切り換えることなく送信機と受信機の両方で使用される、キャリヤ周波数の信号を生成する。第二の周波数生成手段は、第一周波数生成手段からの信号と結合すると、低ＩＦ受信機へのダウン変換信号を形成する低ＩＦ信号を生成するか、または送信機に対する変調の何れかを行う。
【０００８】
【課題を解決するための手段】
本発明の目的は、複雑さとコストが減少し、かつ受信状態と送信状態の切り換えが迅速である、ラジオトランシーバとラジオトランシーバを具体化する集積回路と、効率が向上したラジオシステムとを提供することである。
【０００９】
本発明によると、送信周波数で送信するように適合化した送信機と、第一周波数で受信するように適合化した受信機と、送信周波数で信号を生成するための周波数生成手段と、を有し、この受信機が、送信周波数と第一受信周波数との差異が低ＩＦに等しく、受信した信号をダウン変換するために、送信周波数の信号を使用し、トランシーバが、周波数生成手段の公称周波数を変更することなく、受信状態と送信状態を切り換えることができる、直接変換低ＩＦ受信機を有するラジオトランシーバが、提供される。
【００１０】
本発明は、送信周波数と受信周波数を分離することが、規格によって予め決定されているのが一般的であるが、一部のラジオシステムでは、送信周波数と受信周波数との間に、新規な間隔を自由に選択できる、という認識に基づいている。
【００１１】
本発明は、さらに、トランシーバが、同時に送受信する必要がない場合、または同時に送受信するトランシーバと通信する必要がない場合でさえ、別々の送受信周波数を使用することによって利点が得られる、という認識に基づいている。
【００１２】
本発明は、さらに、送信周波数と受信周波数との間の間隔を低ＩＦに等しくなるように選択することによって、送信周波数の信号を、ダウン変換信号として直接使用することができる、という認識に基づいている。
【００１３】
本発明は、さらに、受信機を送信周波数に切り換えなくても、送信周波数でチャンネル検知を実行することができる、という認識に基づいている。
【００１４】
本発明は、さらに、受信周波数での受信と同時に、チャンネル検知を送信周波数で実行することが可能である、という認識に基づいている。
【００１５】
本発明は、高水準な回路集積化を可能にし、かつ送信機と受信機との間における構成要素の共有化を可能にし、これにより複雑さとコストが減少したトランシーバを提供する。
【００１６】
本発明は、複数の状態を切り換えるときに、周波数生成手段の周波数を変える必要がないため、受信状態と送信状態を迅速に切り換えることを可能にする。
【００１７】
本発明を具体化したトランシーバには、２つの基本的な変形体、すなわち、送信周波数が受信周波数よりも高い第一変形体と、送信周波数が受信周波数よりも低くなるように、送信周波数と受信周波数を入れ替えることができる第二変形体とがある。
【００１８】
基本的な変形体のいずれか１つとして構成することができ、または送信周波数と受信周波数を入れ替え、これにより２つの基本的な変形体の切り換えができる２重モードトランシーバを可能にする、本発明を具体化する２重変形体トランシーバを実現することもできる。
【００１９】
ラジオシステムでは、１つの基本的な変形体として動作しているトランシーバは、他の基本的な変形体として動作しているトランシーバと通信することができる。一例として、一方の変形体を基地局、他方の変形体を携帯型装置とし、または一方の変形体を主局、他方の変形体を従局とすることができる。他の例として、ラジオシステムの全てのトランシーバが、呼を受信する、または呼の受信待機状態にある間は、１つの基本的な変形体として動作し、かつ呼を開始するときには、他の基本的な変形体を使用することができる。
【００２０】
本発明のさらなる実施例では、受信機には、受信状態において、すなわち、受信機を送信周波数に再同調せずに、ダウン変換後にゼロヘルツ近くの受信されたエネルギーを検出することによって、送信周波数の近くにラジオ信号が存在することを検知するためのチャンネル検知手段が、設けられている。このような実施例により、送信前に、トランシーバが、それが送信するチャンネルを監視し、かつチャンネルが占有されている場合には、送信を延期するラジオシステムの効率を向上させることができる。このようにして、送信に対する、または送信による干渉の尤度を低減することができる。受信機を送信周波数に再同調するステップを省略することによって、受信から送信への迅速な切り換えが可能になる。さらに、チャンネル検知を、必要な信号の受信と同時に行うことができる。
【００２１】
本発明のさらなる実施例では、受信機は、送信周波数と各受信周波数との差異が、低ＩＦに等しい２つの受信周波数で同時に受信するように構成されている。この場合、これらの二つの受信周波数は、送信周波数の両側に位置する。この実施例は、たとえば、トランシーバが情報を受信するための容量を増やしたり、または、トランシーバが、システムの効率を向上させることができるシステム動作を監視する能力を向上するために、使用することができる。
【００２２】
【発明を実施するための形態】
次に、本発明を、添付の図面を参照して、実例により説明する。
【００２３】
図１を参照すると、アンテナ１９が選択手段１８に接続されている。この選択手段１８は、選択手段制御入力５０１に作用する制御装置５００によって、動作させることができ、アンテナ１９を、送信時に第一ポートを介してトランシーバの送信機部分１００に接続させ、また受信時に第２ポートを介してトランシーバの受信機部分２００に接続させる。
【００２４】
まず、トランシーバの送信機部分１００の構成を説明し、次いで、受信機部分２００を説明する。
【００２５】
送信機部分１００では、送信のための情報信号が、情報入力１４によって処理手段１５に供給される。処理手段１５は、情報信号の同相成分 （Ｉ） と直角位相成分 （Ｑ） を生成し、かつこれらの成分は、第一ミクサ１２の第一入力、および第二ミクサ１３の第一入力に、それぞれ、送られる。
【００２６】
周波数生成手段３００は、アップ変換信号の同相成分 （Ｉ） と直角位相成分 （Ｑ） を送信周波数で生成する位相変換手段１１に接続されている（たとえば、周波数シンセサイザを有していても良い）発振器１０を有し、かつこれらの成分は、第一ミクサ１２の第二入力と、第二ミクサ１３の第二入力とに、それぞれ、送られる。
【００２７】
第一ミクサ１２からの出力、および第二ミクサ１３からの出力は、加算段１６の第一および第二入力に接続されていて、かつ加算段１６からの出力は、パワーアンプ１７に接続されている。パワーアンプ１７からの出力は、選択手段１８の第一ポートに接続されていて、これにより、選択手段１８とアンテナ１９が、トランシーバの送信機部分１００に接続される。
【００２８】
上述の送信機部分１００は、直接アップ変換の構成を有する。
【００２９】
選択手段１８の第二ポートは、低ノイズ増幅器２０の入力に接続されていて、これにより、選択手段１８とアンテナ１９が、トランシーバの受信機部分２００に接続される。低ノイズ増幅器２０からの出力は、第三ミクサ２１の第一入力、および第四ミクサ２２の第一入力に接続されている。
【００３０】
周波数生成手段３００によって生成される、送信周波数のアップ変換信号の同相成分と直交位相成分は、第三ミクサ２１の第二入力、および第四ミクサ２２の第二入力にそれぞれ送られる。
【００３１】
第三ミクサ２１からの出力は、切り換え可能なインバータ２３を介して、第一多相フィルタ２４の第一入力に接続されている。切り換え可能なインバータ２３は、制御入力５０３に作用する制御装置５００により、それを通過する信号をインバートまたはインバートさせないように動作させることができる。第一多相フィルタ２４からの第一出力は、第一増幅器２６を介して、第一復調器２８の第一入力に接続されている。
【００３２】
第四ミクサ２２からの出力は、第一多相フィルタ２４の第二入力に接続されている。第一多相フィルタ２４からの第二出力は、第二増幅器２７を介して、第一復調器２８の第二入力に接続されている。第一復調器２８は、復調された情報信号を出力２９に送る。
【００３３】
トランシーバの送信機部分１００と受信機部分２００は、周波数生成手段３００を共有する。周波数生成手段３００は、制御手段５００によって動作可能な周波数選択制御入力５０２を有する。
【００３４】
上述の受信機部分２００は、切り換え可能なインバータ２３以外に、低ＩＦ受信機のチャンネルフィルタが、第一多相フィルタ２４によって実現される、従来の低ＩＦ構成を有する。切り換え可能なインバータ２３は、第一および第二の基本的な変形体を切り換えることができる、本発明の２重変形体トランシーバの実施例のために設けられている。２重変形体トランシーバは、切り換え可能なインバータ２３を、信号が変換することなく通過するように設定することにより、第一の基本的な変形体に従って動作させることができ、かつ切り換え可能なインバータ２３を、信号がインバートするように設定することにより、第二の基本的な変形体に従って動作させることができる。単一の変形体によるトランシーバは、切り換え可能なインバータ２３を省くことによって、第一の基本的な変形体に従って動作させることができ、または切り換え可能なインバータ２３の代わりに、切り換え不可能なインバータを用いることによって、第二の基本的な変形体に従って動作させることもできる。
【００３５】
図２は、送信周波数が受信周波数よりも高い、第一の基本的な変形体におけるスペクトルを示す。図２を参照すると、３つの周波数と２つの信号、すなわち、送信周波数ＦＴｘ、受信周波数の必要な信号ＦＲｘ、および画像周波数の不要な信号Ｆｉが示されている。受信機部分２００内のダウン変換後の信号は、図３に示されるように異なる周波数に存在し、必要な信号が、ＦＴｘ〜ＦＲｘのＩＦに存在し、かつ不要な信号が、ＦＴｘ〜ＦｉのＩＦに存在するであろう。第一多相フィルタ２４は、不要な信号を除去し、かつ必要な信号を復調するために、その出力に送る。ダウン変換後の和周波数の信号は、図示されていないローパスフィルタ、または第一多相フィルタ２４によって、フィルタ除去される。
【００３６】
図４は、送信周波数が受信周波数よりも高くなるように、送信周波数と受信周波数が入れ替えられた、本発明の第二の基本的な変形体のスペクトルを示す。図４を参照すると、３つの周波数と２つの信号、すなわち送信周波数ＦＴｘ、受信周波数の必要な信号ＦＲｘ、および画像周波数の不要な信号Ｆｉが示されている。受信機部分２００内のダウン変換後の信号は、図５に示されるように周波数が異なり、必要な信号がＦＴｘ〜ＦＲｘのＩＦにあり、かつ不要な信号がＦＴｘ〜ＦｉのＩＦに存在するであろう。切り換え可能なインバータ２３による変換が行われなければ、必要な信号と不要な信号の周波数は、入れ替えられていたであろう。第一多相フィルタ２４は、不要な信号を除去し、かつ必要な信号を復調のために、その出力に送る。
【００３７】
トランシーバが、第一または第二の基本的な変形体のいずれかで動作している間、発振器１０は一定の周波数のままなので、トランシーバが送信状態と受信状態で変化しても、切り換える必要はない。これによって、送信状態と受信状態との間の迅速な切り換え時間が可能となる。
【００３８】
２重変形体トランシーバが、第一および第二の基本的な変形体を切り換えると、発振器１０は、周波数選択制御入力５０２の動作によって、新しい送信周波数に切り換えられるであろう。
【００３９】
図８は、トランシーバが本発明によって動作する周波数帯域ごとのチャンネルプランを示す。送信周波数と受信周波数が、帯域全体に渡って交互に並び、各チャンネルが、隣接する送信周波数と受信周波数の対を有している。周波数を対にすることができる態様は２種類あり、かつ、この周波数が結果的に４つの構成となる変形体は、（送信が、高いまたは低いかの）２種類ある。この構成のいずれか、または全てを、１つの帯域で使用することができる。
【００４０】
本発明によるトランシーバは、単一のチャンネル（すなわち、一対の周波数）で動作するような設計が可能であり、また、複数のチャンネルの一対を切り換えるように構成することも可能である。たとえば、図１に示される実施例では、周波数選択制御入力５０２の動作によって、チャンネルを選択することができる。
【００４１】
送信周波数と受信周波数との間における間隔は、隣接した周波数で送信する別々のトランシーバが送信する信号の間に、重複部分が実質的に存在しないように、または部分的に重複するように選択することができる。
【００４２】
本発明のさらなる実施例では、トランシーバからの送信に対する、またはトランシーバからの送信による潜在的な干渉を検出するために、チャンネル検知手段を接続する。図９を参照すると、第三および第四ミクサ２１、２２からの出力（成分Ｉと成分Ｑ）は、第一および第二ローパスフィルタ４０、４１のそれぞれの入力に接続される。第一および第二ローパスフィルタ４０、４１のそれぞれからの出力は、信号レベル検出手段４２に接続され、かつ信号レベル検出手段４２からの出力５０５は、受信された信号エネルギーが、トランシーバが送信を行う周波数の近くで検出されて、これによりトランシーバからの送信が干渉される可能性があるか否かを、制御装置５００に通知する。このトランシーバがＣＳＭＡシステムで使用される場合、制御装置５００は、この通知を利用して、このトランシーバが直ちに送信すべきか否か、または他の送信機が送信する信号との衝突を避けるために、送信を延期すべきか否かを決定する。
【００４３】
図１０は、送信周波数ＦＴＸに集中した潜在的な干渉スペクトルを示す。ダウン変換の後、この潜在的な干渉は、図１１に示されるようにゼロ・ヘルツに集中し、かつ第一および第二ローパスフィルタ４０、４１によって選択され、信号レベル検出手段４２によって処理される。第一および第二ローパスフィルタ４０、４１は、受信周波数ＦＲＸの必要な信号と画像周波数Ｆｉの不要な信号を、フィルタにより除去する。低ＩＦ受信機が、ゼロヘルツの干渉信号のスペクトル内にノッチを生成するであろうＤＣ結合を含むことは可能であるが、ノッチが潜在的な干渉信号より狭い場合には、これが、チャンネル検知を妨げることが無いようにする必要がある。
【００４４】
本発明のさらなる実施例では、トランシーバは、ＩＦに等しい間隔で送信周波数の両側に位置する２つの受信周波数で同時に受信するように構成されている。図１２を参照すると、第三および第四ミクサ２１、２２からの出力（成分Ｉと成分Ｑ）は、第二多相フィルタ５４の第一および第二入力に、それぞれ、接続されている。第二多相フィルタ５４は、画像周波数Ｆｉの必要な信号を選択するように、適合化されている。第二多相フィルタ５４からの第一および第二出力は、それぞれ、第三および第四増幅器５６、５７を介して、第二復調器５８の第一および第二入力に、それぞれ、接続されている。第二復調器５８は、復調された信号を出力５９に送る。
【００４５】
本発明のさらなる実施例では、トランシーバは、上述したように２つの受信周波数で同時に受信し、かつ上述したように、送信周波数の近くの潜在的な干渉をチャンネル検知するようにも構成されている。
【００４６】
オプションとして、情報信号を処理手段１５に供給する代わりに、情報信号を、これに代えて発振器１０を直接変調するために与えても良いが、この場合、処理手段１５と第一および第二ミクサ１２、１３を省くことができる。
【００４７】
オプションとして、第一および第二ローパスフィルタ４０、４１によって行うフィルタリングを、代わりに低ＩＦ受信機のチャンネルフィルタで行っても良い。これは、説明した実施例においては、第一多相フィルタ２４によって実現される。この場合、多相フィルタ制御入力５０４に対する制御手段５００の動作によって、第一多相フィルタ２４が、必要な信号または潜在的な干渉信号のいずれかを選択するように再設定することができる。またこの場合、信号レベル検出手段４２が行う信号レベル検出を、代わりに第一復調器２８で行っても良い。
【００４８】
オプションとして、チャンネル検知を、成分Ｉまたは成分Ｑのみにより行っても良い。
【００４９】
オプションとして、チャンネル検知のために望ましいスペクトル部分を選択するために、代替のフィルタ手段、および代替のフィルタ特性を使用しても良い。
【００５０】
オプションとして、切り換え可能なインバータ２３を使用する代わりに、第一多相フィルタ２４に結合されているＩパスとＱパスを入れ替えることによって、２重変形体トランシーバを、第一および第二の基本的な変形体の間で切り換えても良い。この入れ替えは、制御装置５００で多相フィルタ制御入力５０４を動作させることにより、第一多相フィルタ２４の中で行うことができる。
【００５１】
オプションとして、個別の送信アンテナと受信アンテナを使用しても良い。この場合には、選択手段１８は不要となる。
【００５２】
オプションとして、切り換え不可能なインバータを、上述のように第二の基本的な変形体によって動作する単一の変形体によるトランシーバで使用する代わりに、第一多相フィルタ２４の第一および第二入力に接続されているＩパスとＱパスを、第一多相フィルタ２４に接続する前に入れ替えても良く、またはこの入れ替えを、多相フィルタ制御入力５０４に対する制御装置５００の動作により、第一多相フィルタ２４内で行っても良い。
【００５３】
片端接地の信号パス （ｓｉｎｇｌｅ−ｅｎｄｅｄ ｓｉｇｎａｌ ｐａｔｈｓ） ではなく差動信号パス （ｄｉｆｆｅｒｅｎｔｉａｌ ｓｉｇｎａｌ ｐａｔｈｓ） を使用している実施回路の場合、差動信号パスを入れ替えることによって、信号の反転を達成することができる。
【００５４】
オプションとして、トランシーバ内で変調を行う代替の方式を用いても良い。
産業上の適用可能性：ラジオ通信装置
【図面の簡単な説明】
【図１】本発明によって製造されるトランシーバの一実施例のブロック線図である。
【図２】本発明による、ダウン変換の前における、トランシーバのスペクトルを示す。
【図３】本発明による、ダウン変換の後における、トランシーバのスペクトルを示す。
【図４】送信および受信機周波数を、本発明によって入れ替える場合の、ダウン変換の前におけるトランシーバのスペクトルを示す。
【図５】送信および受信機周波数を、本発明によって入れ替える場合の、ダウン変換の後におけるトランシーバのスペクトルを示す。
【図６】別々の送受信周波数帯域を有する、従来のチャンネルプランを示す。
【図７】共通の周波数で送信と受信を行うトランシーバの、従来のチャンネルプランを示す。
【図８】本発明が使用される周波数帯域のチャンネルプランを示す。
【図９】チャンネル検知を取り入れた本発明の実施例のブロック線図である。
【図１０】本発明によるチャンネル検知を組み込んだトランシーバのスペクトルを示す。
【図１１】本発明によるチャンネル検知を組み込んだトランシーバのスペクトルを示す。
【図１２】２つの周波数で同時に受信することができる本発明の実施例の、ブロック線図である。
【符号の説明】
１０…発振器
１１…位相変換手段
１２…第一ミクサ
１３…第二ミクサ
１４…情報入力
１５…処理手段
１６…加算段
１７…パワーアンプ
１８…選択手段
１９…アンテナ
２０…低ノイズ増幅器
２１…第三ミクサ
２２…第四ミクサ
２３…インバータ
２４…第一多相フィルタ
２６…第一増幅器
２７…第二増幅器
２８…第一復調器
２９…出力
４０…第一ローパスフィルタ
４１…第二ローパスフィルタ
４２…信号レベル検出手段
５４…第二多相フィルタ
５６…第三増幅器
５７…第四増幅器
５８…第二復調器
５９…出力
１００…送信機部分
２００…受信機部分
３００…周波数生成手段
５００…制御装置
５０１…選択手段制御入力
５０２…周波数選択制御入力
５０３…制御入力
５０４…多相フィルタ制御入力
５０５…信号レベル検出手段４２からの出力
【図１】
2004519942.tif 000003
【図２】
2004519942.tif 000004
【図３】
2004519942.tif 000005
【図４】
2004519942.tif 000006
【図５】
2004519942.tif 000007
【図６】
2004519942.tif 000008
【図７】
2004519942.tif 000009
【図８】
2004519942.tif 000010
【図９】
2004519942.tif 000011
【図１０】
2004519942.tif 000012
【図１１】
2004519942.tif 000013
【図１２】
2004519942.tif 000014
【国際公開パンフレット】
2004519942.tif 000015
2004519942.tif 000016
2004519942.tif 000017
2004519942.tif 000018
2004519942.tif 000019
2004519942.tif 000020
2004519942.tif 000021
2004519942.tif 000022
2004519942.tif 000023
2004519942.tif 000024
2004519942.tif 000025
2004519942.tif 000026
2004519942.tif 000027
2004519942.tif 000028
2004519942.tif 000029
2004519942.tif 000030
2004519942.tif 000031
2004519942.tif 000032
2004519942.tif 000033
2004519942.tif 000034
2004519942.tif 000035
2004519942.tif 000036
【国際調査報告】
2004519942.tif 000037
2004519942.tif 000038
2004519942.tif 000039